(57)【特許請求の範囲】
【請求項１】
機器本体とオプション品とを連結するためのロック部材が、電子部品を備えた基板の裏側に配置されており、
該基板が、表面側にコネクタを備えており、
前記ロック部材を前記基板の前記コネクタを備えた面の裏側の面に対向するように配置し、前記基板が撓む際の裏当てを兼ねさせ、
前記ロック部材と前記基板との間にはクリアランスを設けて前記基板が撓んでいない時は前記ロック部材と前記基板とが触れない配置としてなる、
ことを特徴とする電子機器。
【請求項２】
請求項１の電子機器において、
前記基板が、前記機器本体にブラケットを介して装着されている、
ことを特徴とする電子機器。
【請求項３】
請求項１又は２の電子機器において、
前記ロック部材のエンクロージャとなるキャップを備え、該キャップが前記基板の裏側に位置して前記裏当てとなる配置としてなる、
ことを特徴とする電子機器。
【請求項４】
請求項３の電子機器において、
前記キャップは樹脂部材であり、前記基板側となる部位に前記基板を受ける凸形状部を設けてある、
ことを特徴とする電子機器。
【請求項５】
請求項１乃至４のいずれか一項の電子機器において、
前記オプション品が前記機器本体の下部に備えられる、
ことを特徴とする電子機器。
【請求項６】
請求項１乃至５のいずれか一項の電子機器において、
前記基板が前記機器本体の側面に対して面が垂直をなすように設置される、
ことを特徴とする電子機器。
【請求項７】
請求項１乃至６のいずれか一項の電子機器である、
ことを特徴とする画像形成装置。
【発明の詳細な説明】
【技術分野】
【０００１】
本発明は、プリンタ、ファクシミリ、複写機、これらの複合機などの画像形成装置その他の電子機器に関する。
【背景技術】
【０００２】
電子機器、例えば複写機等の画像形成装置には、設置安定性を保つためのオプション品として、給紙バンクやサプライテーブル等を画像形成装置本体を搭載するための載置台として備え、この載置台上にユーザーの希望により画像形成装置本体を設置するものがある。このようなユーザー設置機種の画像形成装置本体を載置台と連結する必要がある場合には、例えば、載置台上に画像形成装置本体を載せた後、ねじなどの締結部材で載置台と画像形成装置本体とを締結して一体化しているものがある。
【０００３】
ところが、オプション品である載置台を画像形成装置本体に増設する作業をユーザーが行ったときに、ユーザーがそのような連結するための部材を取り付けない場合があることが想定される。その場合にも有効な手段として、画像形成装置本体を給紙バンクやサプライテーブルに載せるだけで、載置台と画像形成装置本体とを締結する連結部材を取り付けたときと同等の効果が得られるロック部材があることが既に知られている。しかし、そのようなロック部材は、部品点数が増加するため、マシンの大型化につながる恐れがあるという問題がある。
【０００４】
特許文献１には、画像形成装置本体を給紙バンクやサプライテーブルに載せるだけで、連結部材を取り付けたときと同等の効果を得る目的で、ロック部材を画像形成装置本体に搭載するという内容が開示されている。すなわち、特許文献１に記載の複写機においては、複写機本体の底板に孔が開けられており、その孔に連通して複写機本体内側の底板上に円筒状部材が設けられている。また、複写機本体を載置する載置台上には底板に開けられた孔に対応して配置された外周面に溝を有するピンが取り付けられている。載置台上に複写機本体を載置するときには、載置台上のピンと底板の孔との位置を合わせて載置台の上方から複写機本体を置く。すると、孔に挿入されたピンは円筒部材内に緩く入り込む。このような構成とすることで、複写機本体に外力が加えられ複写機本体が載置台上で傾くと、円筒部材の先端がピンの溝に引っ掛かり円筒部材とピンとが係止され、それ以上複写機本体が載置台上で傾かなくなる。よって、載置台上に複写機本体を載置した後に締結部材によって載置台と複写機本体とを締結しなくても、載置台上から複写機本体が落下するのを抑制できるとされている。
【発明の概要】
【発明が解決しようとする課題】
【０００５】
しかしながら、特許文献１に記載の複写機においては、ピンの長さが短かったり、円筒部材の内径がピンの径に対して大きすぎたりすると、載置台上で複写機本体が傾いたときに円筒部材の先端がピンの溝に引っ掛からず円筒部材とピンとが係合しない恐れがある。そのため、載置台上で複写機本体が傾くことで複写機本体の底板に開けられた孔からピンが抜けてしまい、載置台上から複写機本体が落下してしまうといった問題が生じ得る。また、上述した部品点数が増え、マシンの大型化につながる恐れがあるという問題は解消できていない。
【０００６】
本発明は、以上の問題に鑑みてなされたものであり、画像形成装置等の電子機器の装置本体に外力が加えられたとしても、載置台上から装置本体が落下してしまうのを抑制できること、並びに部品点数を減らすことができ、装置の小型化に寄与することが可能な電子機器、画像形成装置を提供することを目的とする。
【課題を解決するための手段】
【０００７】
本発明に係る電子機器は、機器本体とオプション品とを連結するためのロック部材が、電子部品を備えた基板の裏側に配置されており、該基板が、表面側にコネクタを備えており、前記ロック部材を前記基板の前記コネクタを備えた面の裏側の面に対向するように配置し、前記基板が撓む際の裏当てを兼ねさせ、前記ロック部材と前記基板との間にはクリアランスを設けて前記基板が撓んでいない時は前記ロック部材と前記基板とが触れない配置としてなる、ことを特徴とする。
【発明の効果】
【０００８】
本発明によれば、元々載置台に設けてあるロック部材が基板の裏当てを兼ね、コネクタに外力が係るときの基板の撓みを一定にするので、載置台上から装置本体が落下してしまうのを抑制できることはもちろん、電子機器や画像形成装置の小型化に寄与することができる。
【図面の簡単な説明】
【０００９】
【図１】画像形成装置の構造体とＩＯＢ基板の位置関係を示す図である。
【図２】図１に示したＩＯＢ基板付近の拡大図である。
【図３】ＩＯＢブラケットの裏に配置されているキャップの図である。
【図４】キャップの下に配置されているロック部材の図である。
【図５】ＩＯＢ基板とキャップの位置関係の図である。
【図６】キャップの凸部の図である。
【発明を実施するための形態】
【００１０】
本発明の実施の形態を図面を参照して説明する。
本発明は、電子部品を備えた基板のコネクタに他の部位と接続するコネクタ（例えば電線コネクタ）を差し込むときに基板が撓むことを防止するために、元々設けられていたロック部材を裏当てとして用いたことを特徴とするものである。すなわち本発明は、装置本体とオプション品を連結する頑丈なロック部材に、裏当て機能を持たせたことで、別部品を設けることなく、かつ幾度もコネクタの差し込みを繰り返しても基板の撓みを防止するものである。
【００１１】
以下、本発明に係る電子機器について説明するが、以下では電子機器が画像形成装置である場合について説明する。また、画像形成装置本体（以下、マシン本体と記載する）と給紙バンクやサプライテーブル等の載置台とを連結するロック部材に関して説明する。
【００１２】
図１、図２は、画像形成装置の本体構造体１０とＩＯＢ基板２１の位置関係について示し、図１は、本体構造体１０とＩＯＢ基板２１の位置関係を示す斜視図、図２は、ＩＯＢ基板２１付近の拡大図である。図１は、本体構造体１０をマシンの右後側から見て示してある。ＩＯＢ基板２１は、本体構造体１０を構成する後側板１１に、ＩＯＢ基板ブラケット２２、２３を介して装着されている。ＩＯＢ基板２１は、複数のコネクタ２４を備えている。
【００１３】
図３、図４は、ロック部材３３とキャップ３１について示し、図３は、ＩＯＢ基板２１の裏側に配置されているキャップ３１を示す図、図４は、キャップ３１の下に配置されているロック部材３３を示す図である。
図２の状態からＩＯＢ基板２１を外すと、図３の状態になり、ＩＯＢ基板２１の裏側にロック部材３３のキャップ３１が配置されていることがわかる。そして図３の状態からキャップ３１を外すと、図４のようになる。キャップ３１の下にロック部材３３が配置されていることがわかる。より具体的にはＩＯＢ基板２１の図２で下方に設けられている表面側のコネクタ２４の裏側にキャップ３１とロック部材３３が配置されている。
【００１４】
本体構造体１０を図示しない給紙バンクやサプライテーブル等の載置台に載せると、載置台側からピン等の部材がロック部材３３内に入り込んできて本体構造体１０は載置台上に連結され得る状態になる。キャップ３１は、載置台側に設けられ、ロック部材３３内に入り込むピン等の部材のエンクロージャとして機能する。
【００１５】
図５、図６は、具体的にキャップ３１がＩＯＢ基板２１の受けを兼ねる構成について示し、図５は、ＩＯＢ基板２１とキャップ３１の位置関係を示す図、図６は、キャップ３１の凸部３２を示す図である。
図５は、ＩＯＢ基板２１とキャップ３１のみマシン右側から見て示している。ＩＯＢ基板ブラケット２２、２３を介して装着されたＩＯＢ基板２１と、キャップ３１との間には隙間（クリアランス）ができるように設けてあることを示している。そして、ＩＯＢ基板２１のコネクタ２４に電線コネクタ等（図示せず）をセットするとき、セット時の押圧によってＩＯＢ基板２１が撓み、裏側にあるキャップ３１がＩＯＢ基板２１に触れる。そのことで、ＩＯＢ基板２１のたわみが大きくなることをキャップ３１が規制することになる。
【００１６】
すなわち、ロック部材３３のＩＯＢ基板２１との間の隙間により、ＩＯＢ基板２１が撓んでいない時はロック部材３３とＩＯＢ基板２１とが触れない。そして、コネクタ２４に電線コネクタ等をセットする時のみＩＯＢ基板２１の裏面がロック部材３３に受けられるようになっている。
【００１７】
なお、図６に良く示すように、キャップ３１の基部にはＩＯＢ基板２１を受けるための凸部３２がリブ状に複数設けてある。すなわちキャップ３１を樹脂製とし、一部を凸形状としてＩＯＢ基板２１を受けるようにしてある。面ではなくてあてつけ形状を作ることで、ＩＯＢ基板２１に設けてある基板パターンの保護を行っている。キャップ３１を板金製としてもよいが、樹脂製の方が凸形状を作りやすい。
【００１８】
本発明は以上説明した実施形態に限定されるものではなく、多くの変形が本発明の技術的思想内で当分野において通常の知識を有する者により可能である。
【符号の説明】
【００１９】
１０    本体構造体
１１    後側板
２１    ＩＯＢ基板
２２、２３    ＩＯＢ基板ブラケット
２４    コネクタ
３１    キャップ
３２    凸部
３３    ロック部材
３５    ねじ
【先行技術文献】
【特許文献】
【００２０】
【特許文献１】特開２００９−１５７０４２号公報
【図１】
0006786825.tif 000002
【図２】
0006786825.tif 000003
【図３】
0006786825.tif 000004
【図４】
0006786825.tif 000005
【図５】
0006786825.tif 000006
【図６】
0006786825.tif 000007